(57)【特許請求の範囲】
【請求項１】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録方法において、
前記同期パターンをスペースにする同期情報を生成する同期情報生成工程と、該工程によって生成された同期情報を挿入しながら記録情報を所定の変調規則に従って変調した変調コードの記録パルス列に変換する記録パルス列生成工程と、前記プリピットの位置の検出信号に基づいて記録位置制御を行なう記録位置制御工程とからなることを特徴とする情報記録方法。
【請求項２】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録方法において、
複数個の同期情報の一部は同期パターンをスペースにする同期情報として生成し、残りの同期情報は記録パルス列の低周波成分を抑圧する同期情報として生成する同期情報生成工程と、該工程によって生成された同期情報を挿入しながら記録情報を所定の変調規則に従って変調した変調コードの記録パルス列に変換する記録パルス列生成工程と、前記プリピットの位置の検出信号に基づいて記録位置制御を行なう記録位置制御工程とからなることを特徴とする情報記録方法。
【請求項３】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録方法において、
前記プリピットが前記情報単位の整数倍の間隔で形成されており、
前記プリピットに隣接して位置する場合は同期パターンをスペースにする同期情報を生成し、隣接して位置しない場合は記録パルス列の低周波成分を抑圧する同期情報を生成する同期情報生成工程と、該工程によって生成された同期情報を挿入しながら記録情報を所定の変調規則に従って変調した変調コードの記録パルス列に変換する記録パルス列生成工程と、前記プリピットの位置の検出信号に基づいて記録位置制御を行なう記録位置制御工程とからなることを特徴とする情報記録方法。
【請求項４】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録方法において、
前記プリピットに隣接して位置する同期パターンが所定量連続してマークである場合は同期パターンをスペースにする同期情報を生成し、それ以外の場合は記録パルス列の低周波成分を抑圧する同期情報を生成する同期情報生成工程と、該工程によって生成された同期情報を挿入しながら記録情報を所定の変調規則に従って変調した変調コードの記録パルス列に変換する記録パルス列生成工程と、前記プリピットの位置の検出信号に基づいて記録位置制御を行なう記録位置制御工程とからなることを特徴とする情報記録方法。
【請求項５】
請求項２乃至４のいずれか一項に記載の情報記録方法において、
前記同期情報生成工程に、前記記録パルス列の低周波成分を抑圧する同期情報を複数個の中から選択して生成する際、その複数個の同期情報による低周波成分抑圧量が同程度あるいは所定範囲内の差であるとき、同期パターンをスペースにする方を優先して選択する工程を設けたことを特徴とする情報記録方法。
【請求項６】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録装置において、
前記同期パターンをスペースにする同期情報を生成する同期情報生成手段と、
前記プリピットの位置を検出するプリピット位置信号検出手段と、
該手段によって検出されたプリピット位置信号に基づいて記録位置制御信号を生成する記録位置制御信号生成手段と、
前記同期情報生成手段によって生成された同期情報を挿入しながら記録情報を所定の変調規則に従って変調した変調コードの記録パルス列に変換し、前記記録位置制御信号生成手段によって生成された記録位置制御信号に従って前記記録パルス列の出力を開始するエンコード手段とを設けたことを特徴とする情報記録装置。
【請求項７】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録装置において、
複数個の同期情報の一部は同期パターンをスペースにする同期情報として生成し、残りの同期情報は記録パルス列の低周波成分を抑圧する同期情報として生成する同期情報生成手段と、
前記プリピットの位置を検出するプリピット位置信号検出手段と、
該手段によって検出されたプリピット位置信号に基づいて記録位置制御信号を生成する記録位置制御信号生成手段と、
前記同期情報生成手段によって生成された同期情報を挿入しながら記録情報を所定の変調規則に従って変調した変調コードの記録パルス列に変換し、前記記録位置制御信号生成手段によって生成された記録位置制御信号に従って前記記録パルス列の出力を開始するエンコード手段とを設けたことを特徴とする情報記録装置。
【請求項８】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録装置において、
前記プリピットが前記情報単位の整数倍の間隔で形成されており、前記プリピットに隣接して位置する場合は同期パターンをスペースにする同期情報を生成し、隣接して位置しない場合は記録パルス列の低周波成分を抑圧する同期情報を生成する同期情報生成手段と、
前記プリピットの位置を検出するプリピット位置信号検出手段と、
該手段によって検出されたプリピット位置信号に基づいて記録位置制御信号を生成する記録位置制御信号生成手段と、
前記同期情報生成手段によって生成された同期情報を挿入しながら記録情報を所定の変調規則に従って変調した変調コードの記録パルス列に変換し、前記記録位置制御信号生成手段によって生成された記録位置制御信号に従って前記記録パルス列の出力を開始するエンコード手段とを設けたことを特徴とする情報記録装置。
【請求項９】
情報記録トラック間の領域に所定間隔で形成されたプリピットを有する記録媒体に対し、所定情報単位毎に同期をとるための同期情報が挿入されている記録情報を記録する際、前記同期情報が前記プリピットよりも十分長い同期パターンを含むものであって、前記プリピットの少なくとも一部に前記同期パターンが隣接して位置するように記録を行なう情報記録装置において、
前記プリピットに隣接して位置する同期パターンが所定量連続してマークの場合は、その同期パターンをスペースにする同期情報を生成し、それ以外の場合は記録パルス列の低周波成分を抑圧する同期情報を生成する同期情報生成手段と、
前記プリピットの位置を検出するプリピット位置信号検出手段と、
該手段によって検出されたプリピット位置信号に基づいて記録位置制御信号を生成する記録位置制御信号生成手段と、
前記同期情報生成手段によって生成された同期情報を挿入しながら記録情報を所定の変調規則に従って変調した変調コードの記録パルス列に変換し、前記記録位置制御信号生成手段によって生成された記録位置制御信号に従って前記記録パルス列の出力を開始するエンコード手段とを設けたことを特徴とする情報記録装置。
【請求項１０】
請求項６乃至９のいずれか一項に記載の情報記録装置において、
前記記録位置制御信号生成手段が、前記プリピットを、前記所定情報単位に相当する間隔あるいはその整数倍の間隔で形成されたシンクプリピットと、アドレス情報などを示す情報プリピットとによって構成し、前記シンクプリピットに前記同期パターンが隣接して位置するように記録を行なうとき、前記プリピット位置信号のうちの前記シンクプリピットに対応するものであるシンクプリピット位置信号であり、なおかつ隣接して位置した同期パターンがスペースであるものに基づいて記録位置制御信号を生成する手段であることを特徴とする情報記録装置。
【請求項１１】
請求項６乃至９のいずれか一項に記載の情報記録装置において、
前記記録位置制御信号生成手段が、前記プリピット位置信号あるいは前記シンクプリピット位置信号に位相同期し、前記所定情報単位毎の同期を示すフレーム信号を生成する手段を有し、該手段によって生成されたフレーム信号に基づいて前記記録位置制御信号を生成する手段であることを特徴とする情報記録装置。
【請求項１２】
請求項６乃至１１のいずれか一項に記載の情報記録装置において、
前記同期情報生成手段に、前記シンクプリピットに隣接して位置する同期パターンをスペースにする同期情報が所定量の前記所定情報単位連続してなかった場合は、同期パターンをスペースにする同期情報を生成し、それ以外の場合は記録パルス列の低周波成分を抑圧する同期情報を選択するように指示する同期情報指示信号を生成して、前記所定量を前記フレーム信号を精度よく生成するのに十分な値に設定する手段を設けたことを特徴とする情報記録装置。
【請求項１３】
請求項７乃至９のいずれか一項に記載の情報記録装置において、
前記同期情報生成手段に、前記記録パルス列の低周波成分を抑圧する同期情報を複数から選択して生成する際、その複数個の同期情報による低周波成分抑圧量が同程度あるいは所定範囲内の差であるとき、同期パターンをスペースにする方を優先して選択する手段を設けたことを特徴とする情報記録装置。
【発明の詳細な説明】
【０００１】
【発明の属する技術分野】
この発明は、記録可能且つ情報記録トラック間の領域に所定間隔で形成されたプリピットとを有するＤＶＤ―Ｒ等の記録媒体に対して、プリピット位置信号を基に高精度に記録位置制御をして情報の記録を行なう情報記録方法と、ＤＶＤ−Ｒドライブ等の記録可能型光ディスクに情報を記録する記録再生装置。
【０００２】
【従来の技術】
近年、ＣＤ−Ｒ／ＲＷのような記録可能な光ディスク記録再生装置が実用化され、データの追記や書換えといった用途での利用も進んでいる。
ただ、これら記録可能型光ディスク記録再生装置において追記や書換えを行なう時、記録時に正確な記録位置制御ができないと、前回記録したデータに重ねて記録をしてしまい、旧データあるいは新旧双方のデータを破壊してしまうことになる。
【０００３】
そこで従来では、旧データに連続して新データを記録する際は、その間に所定量のリンキング領域を設け、そのリンキング領域に、例えばダミーデータや所定のデータを記録し、その後に新データの記録を行なっていた。
【０００４】
しかし、このリンキング領域には情報の記録ができないため、記録可能な容量を減少させ、記録領域を有効に使用できないという問題があった。
そこで、記録時に正確な記録位置制御が可能になれば、不要なデータを記録するリンキング領域が不必要、あるいは最小限に留めることができ、記録領域を有効に使用することができる。
【０００５】
従来、ウォブルしたグルーブを有すると共に、これらグルーブ間の領域に所定間隔でピットが形成されている光記録媒体に対して、このウォブルから検出したウォブル信号により光ディスクの回転を制御するとともにピットから検出したピット信号により位置を制御する情報記録装置（例えば、特開平９−３２６１３８号公報参照）があった。
このような情報記録装置では、狭いトラックピッチにおいてもアドレス情報や光ディスクの回転制御情報を正確に得ることができ、高密度記録が可能となる。
【０００６】
また、少なくとも二つのパワーを有する２種類の光ビームについて、いずれの光ビームを照射した場合であってもプリピットを検出可能なプリピット検出装置及び当該プリピット検出装置を備えた情報記録装置（例えば、特開平１０−２８３６３８号公報参照）があった。
【０００７】
【発明が解決しようとする課題】
上述したようなウォブルしたグルーブを有すると共に、これらグルーブ間の領域（ランド）に所定間隔でプリピットを形成するという光ディスクと、このウォブルから検出したウォブル信号により光ディスクの回転を制御すると共にプリピットから検出したプリピット信号により位置を制御する情報記録装置では、狭いトラックピッチにおいてもアドレス情報やディスクの回転制御情報を正確に得ることはできるが、セクタの先頭にアドレス情報を配置する方法ではない（つまり記録トラックであるグルーブにはアドレスピットが存在しない）ので、高密度記録が可能となり、アドレス情報により記録情報が不連続になることがなく再生専用ディスクとの互換性に優れた方式である。
【０００８】
しかしながら、このような光ディスクでは、高密度記録するためにトラックピッチを狭めており、このため光ビームを照射したトラックに隣接するグルーブからの漏れ込み、いわゆるクロストークが無視できなくなる。
【０００９】
そして、隣接する内外周のグルーブからのクロストークがあると、ウォブル信号は隣接するトラックのウォブル信号成分の干渉を受けることとなり、振幅や位相が変動する。
したがって、このウォブル信号を用いて記録位置制御を行なう場合、特に位相変動が生じると、正確な記録位置制御をするには精度的に不十分である。
【００１０】
一方、プリピットは互いに干渉しないよう配置されているので、プリピットから検出したプリピット信号は光ディスク上での位置を精度よく検出でき、正確な記録位置制御を行なうのに好適である。
【００１１】
しかしながら、記録中にプリピット信号を検出する際には、光源のパワーが記録マークを形成するパワーと形成しない（つまりスペースになる）パワーとで異なるため、プリピット信号を双方において良好に検出するのは困難であり、特に、プリピット信号の位置検出に誤差を生じることがある。
【００１２】
そこで、上記問題点の一部を解決するものとして、上述した後者の情報記録装置のように、記録パワーと再生パワー（記録マークを形成しないパワー）とで各々プリピットを検出する手段を持ち、各々の検出結果の論理和をとってプリピット信号を出力するものでは、記録中であってもプリピットの有無を確実に検出できる。
【００１３】
しかしながら、プリピット位置を精度よく検出するには不十分である。
さらには、記録波形を単一の矩形波ではなく複数個のパルスにより１つの記録マークを形成するという、いわゆるマルチパルス記録方法があり、これは大容量記録に適した記録方法とされ、よく用いられている。
【００１４】
例えば、ＤＶＤ−Ｒなどはこの方法で記録される。
特に、このマルチパルス記録方法での記録中にプリピット信号を検出する際には、個々のパルス幅が短く光源の発光状態が短時間に切り替わるため、記録マーク形成中プリピット信号を精度よく検出するのは極めて困難である。
【００１５】
また、既記録領域においてプリピット信号を検出する際には、記録マークとスペースの反射率に差があるため、プリピット信号の振幅が変動し、プリピットと記録マークとの位置関係によってはプリピット信号の位置検出に誤差を生じることがある。
【００１６】
このように、上述した従来技術の情報記録装置では、この問題点を解決することができなかった。
つまり、既記録領域、特には記録中に、プリピット信号の位置まで精度よく検出するのは困難であり、つまりは記録位置制御を精度よく行なうことができないという問題があった。
【００１７】
さらに、最悪の場合には、プリピット信号自体が検出できない、あるいは誤検出をしてしまうというという問題も生じ、記録位置制御が行なえなかったり、誤って制御されてしまうという問題まで引き起こしかねない。
【００１８】
本発明はこのような問題を鑑みてなされたものであり、情報記録トラック間の領域に所定間隔でプリピットが形成された記録媒体に情報の記録を行なう際、このプリピットから検出したプリピット信号によって記録位置を制御する情報記録装置において、既記録領域あるいは記録中であってもプリピット信号位置を精度よく検出する情報記録方法及び情報記録装置を提供し、情報記録媒体に対する精度のよい記録位置制御を可能にし、不要なデータを記録するリンキング領域をより少なくあるいは不必要にし、情報記録媒体の記録領域を有効に使用できるようにすることを目的とする。
【００１９】
【課題を解決するための手段】
この発明は上記の目的を達成するため、情報記録トラック間の領域に所定間隔で形成されたプリピットを有する記録媒体に対し、所定情報単位毎に同期をとるための同期情報が挿入されている記録情報を記録する際、上記同期情報が上記プリピットよりも十分長い同期パターンを含むものであって、上記プリピットの少なくとも一部に上記同期パターンが隣接して位置するように記録を行なう情報記録方法において、上記同期パターンをスペースにする同期情報を生成する同期情報生成工程と、その工程によって生成された同期情報を挿入しながら記録情報を所定の変調規則に従って変調した変調コードの記録パルス列に変換する記録パルス列生成工程と、上記プリピットの位置の検出信号に基づいて記録位置制御を行なう記録位置制御工程とからなる。
【００２０】
また、情報記録トラック間の領域に所定間隔で形成されたプリピットを有する記録媒体に対し、所定情報単位毎に同期をとるための同期情報が挿入されている記録情報を記録する際、上記同期情報が上記プリピットよりも十分長い同期パターンを含むものであって、上記プリピットの少なくとも一部に上記同期パターンが隣接して位置するように記録を行なう情報記録方法において、複数個の同期情報の一部は同期パターンをスペースにする同期情報として生成し、残りの同期情報は記録パルス列の低周波成分を抑圧する同期情報として生成する同期情報生成工程と、その工程によって生成された同期情報を挿入しながら記録情報を所定の変調規則に従って変調した変調コードの記録パルス列に変換する記録パルス列生成工程と、上記プリピットの位置の検出信号に基づいて記録位置制御を行なう記録位置制御工程とからなるようにするとよい。
【００２１】
さらに、情報記録トラック間の領域に所定間隔で形成されたプリピットを有する記録媒体に対し、所定情報単位毎に同期をとるための同期情報が挿入されている記録情報を記録する際、上記同期情報が上記プリピットよりも十分長い同期パターンを含むものであって、上記プリピットの少なくとも一部に上記同期パターンが隣接して位置するように記録を行なう情報記録方法において、上記プリピットが上記情報単位の整数倍の間隔で形成されており、上記プリピットに隣接して位置する場合は同期パターンをスペースにする同期情報を生成し、隣接して位置しない場合は記録パルス列の低周波成分を抑圧する同期情報を生成する同期情報生成工程と、その工程によって生成された同期情報を挿入しながら記録情報を所定の変調規則に従って変調した変調コードの記録パルス列に変換する記録パルス列生成工程と、上記プリピットの位置の検出信号に基づいて記録位置制御を行なう記録位置制御工程とからなるようにするとよい。
【００２２】
また、情報記録トラック間の領域に所定間隔で形成されたプリピットを有する記録媒体に対し、所定情報単位毎に同期をとるための同期情報が挿入されている記録情報を記録する際、上記同期情報が上記プリピットよりも十分長い同期パターンを含むものであって、上記プリピットの少なくとも一部に上記同期パターンが隣接して位置するように記録を行なう情報記録方法において、上記プリピットに隣接して位置する同期パターンが所定量連続してマークである場合は同期パターンをスペースにする同期情報を生成し、それ以外の場合は記録パルス列の低周波成分を抑圧する同期情報を生成する同期情報生成工程と、その工程によって生成された同期情報を挿入しながら記録情報を所定の変調規則に従って変調した変調コードの記録パルス列に変換する記録パルス列生成工程と、上記プリピットの位置の検出信号に基づいて記録位置制御を行なう記録位置制御工程とからなるようにするとよい。
【００２３】
さらに、上記のような情報記録方法において、上記同期情報生成工程に、上記記録パルス列の低周波成分を抑圧する同期情報を複数個の中から選択して生成する際、その複数個の同期情報による低周波成分抑圧量が同程度あるいは所定範囲内の差であるとき、同期パターンをスペースにする方を優先して選択する工程を設けるとよい。
【００２４】
また、情報記録トラック間の領域に所定間隔で形成されたプリピットを有する記録媒体に対し、所定情報単位毎に同期をとるための同期情報が挿入されている記録情報を記録する際、上記同期情報が前記プリピットよりも十分長い同期パターンを含むものであって、上記プリピットの少なくとも一部に上記同期パターンが隣接して位置するように記録を行なう情報記録装置において、上記同期パターンをスペースにする同期情報を生成する同期情報生成手段と、上記プリピットの位置を検出するプリピット位置信号検出手段と、その手段によって検出されたプリピット位置信号に基づいて記録位置制御信号を生成する記録位置制御信号生成手段と、上記同期情報生成手段によって生成された同期情報を挿入しながら記録情報を所定の変調規則に従って変調した変調コードの記録パルス列に変換し、上記記録位置制御信号生成手段によって生成された記録位置制御信号に従って上記記録パルス列の出力を開始するエンコード手段を設けたものを提供する。
【００２５】
さらに、情報記録トラック間の領域に所定間隔で形成されたプリピットを有する記録媒体に対し、所定情報単位毎に同期をとるための同期情報が挿入されている記録情報を記録する際、上記同期情報が前記プリピットよりも十分長い同期パターンを含むものであって、上記プリピットの少なくとも一部に上記同期パターンが隣接して位置するように記録を行なう情報記録装置において、複数個の同期情報の一部は同期パターンをスペースにする同期情報として生成し、残りの同期情報は記録パルス列の低周波成分を抑圧する同期情報として生成する同期情報生成手段と、上記プリピットの位置を検出するプリピット位置信号検出手段と、その手段によって検出されたプリピット位置信号に基づいて記録位置制御信号を生成する記録位置制御信号生成手段と、上記同期情報生成手段によって生成された同期情報を挿入しながら記録情報を所定の変調規則に従って変調した変調コードの記録パルス列に変換し、上記記録位置制御信号生成手段によって生成された記録位置制御信号に従って上記記録パルス列の出力を開始するエンコード手段を設けるとよい。
【００２６】
また、情報記録トラック間の領域に所定間隔で形成されたプリピットを有する記録媒体に対し、所定情報単位毎に同期をとるための同期情報が挿入されている記録情報を記録する際、上記同期情報が上記プリピットよりも十分長い同期パターンを含むものであって、上記プリピットの少なくとも一部に上記同期パターンが隣接して位置するように記録を行なう情報記録装置において、上記プリピットが上記情報単位の整数倍の間隔で形成されており、上記プリピットに隣接して位置する場合は同期パターンをスペースにする同期情報を生成し、隣接して位置しない場合は記録パルス列の低周波成分を抑圧する同期情報を生成する同期情報生成手段と、上記プリピットの位置を検出するプリピット位置信号検出手段と、その手段によって検出されたプリピット位置信号に基づいて記録位置制御信号を生成する記録位置制御信号生成手段と、上記同期情報生成手段によって生成された同期情報を挿入しながら記録情報を所定の変調規則に従って変調した変調コードの記録パルス列に変換し、上記記録位置制御信号生成手段によって生成された記録位置制御信号に従って上記記録パルス列の出力を開始するエンコード手段を設けるとよい。
【００２７】
さらに、情報記録トラック間の領域に所定間隔で形成されたプリピットを有する記録媒体に対し、所定情報単位毎に同期をとるための同期情報が挿入されている記録情報を記録する際、上記同期情報が上記プリピットよりも十分長い同期パターンを含むものであって、上記プリピットの少なくとも一部に上記同期パターンが隣接して位置するように記録を行なう情報記録装置において、上記プリピットに隣接して位置する同期パターンが所定量連続してマークの場合は、その同期パターンをスペースにする同期情報を生成し、それ以外の場合は記録パルス列の低周波成分を抑圧する同期情報を生成する同期情報生成手段と、上記プリピットの位置を検出するプリピット位置信号検出手段と、その手段によって検出されたプリピット位置信号に基づいて記録位置制御信号を生成する記録位置制御信号生成手段と、上記同期情報生成手段によって生成された同期情報を挿入しながら記録情報を所定の変調規則に従って変調した変調コードの記録パルス列に変換し、上記記録位置制御信号生成手段によって生成された記録位置制御信号に従って上記記録パルス列の出力を開始するエンコード手段を設けるとよい。
【００２８】
また、上記のような情報記録装置において、上記記録位置制御信号生成手段が、上記プリピットを、上記所定情報単位に相当する間隔あるいはその整数倍の間隔で形成されたシンクプリピットと、アドレス情報などを示す情報プリピットとによって構成し、上記シンクプリピットに上記同期パターンが隣接して位置するように記録を行なうとき、上記プリピット位置信号のうちの上記シンクプリピットに対応するものであるシンクプリピット位置信号であり、なおかつ隣接して位置した同期パターンがスペースであるものに基づいて記録位置制御信号を生成する手段であるようにするとよい。
【００２９】
さらに、上記のような情報記録装置において、上記記録位置制御信号生成手段が、上記プリピット位置信号あるいは上記シンクプリピット位置信号に位相同期し、上記所定情報単位毎の同期を示すフレーム信号を生成する手段を有し、その手段によって生成されたフレーム信号に基づいて上記記録位置制御信号を生成する手段であるようにするとよい。
【００３０】
また、上記のような情報記録装置において、上記同期情報生成手段に、上記シンクプリピットに隣接して位置する同期パターンをスペースにする同期情報が所定量の上記所定情報単位連続してなかった場合は、同期パターンをスペースにする同期情報を生成し、それ以外の場合は記録パルス列の低周波成分を抑圧する同期情報を選択するように指示する同期情報指示信号を生成して、上記所定量を上記フレーム信号を精度よく生成するのに十分な値に設定する手段を設けるとよい。
【００３１】
さらに、上記のような情報記録装置において、上記同期情報生成手段に、上記記録パルス列の低周波成分を抑圧する同期情報を複数から選択して生成する際、その複数個の同期情報による低周波成分抑圧量が同程度あるいは所定範囲内の差であるとき、同期パターンをスペースにする方を優先して選択する手段を設けるとよい。
【００３２】
この発明の情報記録方法と情報記録装置は、記録情報に所定情報単位毎に同期をとるための同期情報が挿入されて、この同期情報が上記プリピットより十分長い同期パターンを含むものであって、上記プリピットの少なくとも一部に上記同期パターンが隣接して位置するように記録が行なわれることに着目し、このプリピットに隣接して位置する同期パターンがスペースであれば、記録中及び既記録領域でも高精度にプリピットを検出できるようになるので、このような同期情報を生成することにより、上記課題を解決することができる。
【００３３】
【発明の実施の形態】
以下、この発明の実施形態を図面に基づいて具体的に説明する。
まず、本発明に好適な記録媒体の実施形態と、この記録媒体に記録する情報の形態について説明する。
【００３４】
この実施形態の記録媒体は、情報記録トラックであるグルーブの間の領域であるランドに所定の間隔でプリピットが形成されている。
そこで、より具体的に説明するため、この形態を持つ記録媒体であるＤＶＤ−Ｒを例に取って以下の説明を行なう。
【００３５】
ＤＶＤ−Ｒは、更に情報記録トラックであるグルーブが所定の周波数でウォブルしている。
図３はＤＶＤ−Ｒのウォブルとプリピットの配置を模式的に示した図である。
【００３６】
図３の（ａ）に示すように、ＤＶＤ―Ｒでは、記録媒体に記録されるデータは予め情報単位であるシンクフレーム毎に分割され、“２６シンクフレーム”で“１セクタ”が、“１６セクタ”で“１ＥＣＣ（Ｅｒｒｏｒ  Ｃｏｒｒｅｃｔｉｎｇ  Ｃｏｄｅ）ブロック”が構成される。
そして、各々のシンクフレームの先頭にはシンクフレーム毎の同期をとるための同期情報“ＳＹ”が存在する。
【００３７】
また、記録される原データは所定の変調規則に従って変調コードに変換される。その原データ“８ビット”を“１６ビット”のコードに変調するため、８／１６変調と呼ぶ。この変調規則は公知技術を用いればよいのでその詳細な説明を省く。
【００３８】
ＤＶＤ―Ｒには、その変調コード列をＮＲＺＩ（Ｎｏｎ  Ｒｅｔｕｒｎ  ｔｏＺｅｒｏ  Ｉｎｖｅｒｔｅｄ）変換したパルス列を記録する。
その記録するパルス列の１チャネルビット長を“Ｔ”とすると、最短パルス幅は“３Ｔ”，最長パルス幅は“１１Ｔ”となる。
また、変調する際、記録パルス列の低周波成分を抑圧する工夫がなされている（この詳細説明は省く）。
【００３９】
この低周波成分抑圧を判断するものとして、いわゆるＤＳＶ（ＤｉｇｉｔａｌＳｕｍ  Ｖａｌｕｅ）の絶対値がある。
ＤＳＶとは、２つの状態をとるビット列の一方の状態を“＋１”，他方の状態を“−１”，としてビット列の先頭から累積した値である。
【００４０】
このＤＳＶの絶対値が小さければ、低周波成分が小さいことになり、記録パルス列のＤＳＶが小さくなるように変調コードを選択する。
この記録パルス列の間には、１シンクフレーム毎に同期情報“ＳＹ”が挿入されている（ここでは、“３２ビット”とする）。
【００４１】
この同期情報“ＳＹ”を確実に捕らえられるよう、つまり確実にシンクフレーム同期が取れるように、同期情報“ＳＹ”には、データ変調部分に出現する最長パルス幅である“１１Ｔ”よりも十分長い“１４Ｔ”幅のパルス（以下適宜、シンクパルスあるいは請求項中では同期パターンと呼ぶ）が埋め込まれている。
【００４２】
また、セクタ内のフレーム位置が識別できるように複数種の同期情報“ＳＹ”を持ち、各々の同期情報“ＳＹ”は、前シンクフレームとの接続部分で変調規則を満足させ、かつ、低周波成分を抑圧させるため、さらに複数個のパターンから選択される。
【００４３】
図３の（ｂ）は同期情報“ＳＹ”の拡大図であり、前述のＤＳＶの絶対値により判定し、低周波成分がなるべく抑圧できるように、“パターン１”または“パターン２”の何れかを選択する。
【００４４】
つまり、“１４Ｔ”幅パルスのシンクパルスが、記録マークか（パターン２）、スペースか（パターン１）に選択される。
同図では正パルスを記録マーク、負パルスをスペースとする。
これは、生成するコードと前シンクフレームの最終パルスの極性から容易に判別することができる。
【００４５】
例えば、図３の（ｂ）においては、前シンクフレームの最終パルスはマークであるので、“パターン１”を選択すればシンクパルスがスペースに、一方、最終パルスがスペースであるならば、“パターン２”を選択すればシンクパルスがスペースになる。
【００４６】
逆に言えば、多少の低周波成分の発生を容認すれば（ＤＳＶ絶対値の多少の増加を容認すれば）、シンクパルスをマークにするかスペースにするかは任意に選択することができる。
【００４７】
通常、同期情報“ＳＹ”は記録情報に対して十分短いので、同期情報の強制選択による多少の低周波成分の発生は十分許容できる範囲である。
なお、選択される同期情報コードは本来用意されている（変調規則を満足した）コードから選択されるので、本発明により記録された情報が変調規則の乱れを生じさせるものではない。
つまり、通常のデコーダを有した情報再生装置で復調することができる。
【００４８】
一方、記録媒体には予め所定の一定周波数（ウォブル周波数“ｆｗ”）でウォブルしたグルーブと、グルーブと隣接する一方の（この実施形態では外周側とする）ランドに同期信号を示すものとして１つのプリピットがシンクフレーム毎に形成されていると共に（以下、このプリピットを特に「シンクプリピット」という）、アドレス情報などを示すものとして“０〜２”のプリピットが形成されている。
【００４９】
プリピットの示すシンクフレームは、図３の（ａ）に示すように、偶数番目のシンクフレーム（以下「ＥＶＥＮフレーム」という）と奇数番目のシンクフレーム（以下「ＯＤＤフレーム」という）とで１つのペアを構成しており、通常プリピットは「ＥＶＥＮフレーム」の位置に配置されるが、両隣のランドにプリピットが配置されることが予想される場合には、互いの干渉などを避けるために「ＯＤＤフレーム」にシフトして配置される。
【００５０】
つまり、ペアを構成する「ＥＶＥＮフレーム」と「ＯＤＤフレーム」の何れか一方のフレームにのみプリピットを配置する。
なお、隣接する他方の（内周側の）ランドには別のグルーブに対応づけられたプリピットが形成されている。
【００５１】
また、ウォブル周波数“ｆｗ”はシンクフレーム周波数の“８倍”であり、プリピットは１シンクフレーム中の最初の３つのウォブルの略頂点に位置するよう配置される。そのうちの最初のプリピットがシンクプリピットである。
【００５２】
なお、プリピットのトラック方向の長さは、再生信号検出への影響を低減させるため、検出できる範囲で極力小さい方が適しており、数Ｔの長さで形成されることが多い。
【００５３】
次に、記録媒体にデータを記録する際には、同期情報“ＳＹ”中のシンクパルス（“１４Ｔ”の長さの記録マークまたはスペース）がシンクプリピットに隣り合うように位置するよう、プリピットに同期して記録される。
この時、精度よく同期して記録できるように記録位置制御するための基準となるのがプリピット信号である。
【００５４】
したがって、プリピット信号の検出精度が重要であり、これは記録中はもちろんのこと、追記や書換えの際には、既に記録したトラックの再生時の検出精度も重要となる。
【００５５】
図４の（a）は、上述のようにプリピットに同期して情報を記録した記録媒体とプリピット信号との関係を示す模式図である。
シンクプリピットには、シンクパルス（図中では斜線を施した記録マークｍ）が隣り合うように記録されているが、シンクプリピット以外のプリピットには記録データ部が隣り合うため、“３Ｔ”から“１１Ｔ”の記録マークまたはスペースが隣り合うように記録される。
【００５６】
プリピット信号中の点線部Ａは未記録時のプリピット信号であり、プリピットに対して十分長い（例えば、シンクパルス）スペースが記録された場合もこのようになる。
【００５７】
同図からわかるように、一定のスライスレベル“Ｖｔｈ”により二値化したプリピット信号“Ｓｐｉｔ”は、隣接するトラックに記録マークが形成されると、位相変動が生ずることになり、特にシンクプリピット以外のプリピットでは、記録情報に依存して位相変動することになる。
【００５８】
一方、図４の（ｂ）は、プリピットに同期して情報を記録している最中のプリピット信号と光源の記録パワーとの関係を示す模式図である。
ここでは説明を簡単にするため、光源が“Ｐ１”のパワーの時スペースが、“Ｐ２”のパワーの時マークが形成されるものとする。
【００５９】
照射する光ビームがシンクプリピットにかかる期間は、一定のパワー（“Ｐ１”または“Ｐ２”）である。一方、シンクプリピット以外のプリピットにかかる期間はパワーが変化するため、二値化したプリピット信号“Ｓｐｉｔ”は記録情報に依存して位相変動することになる。
【００６０】
また、前述したように、マルチパルス記録方法での記録の際には、シンクプリピット以外のプリピットはもちろんのこと、シンクプリピットであっても記録マーク形成中プリピット信号“Ｓｐｉｔ”を精度よく検出するのは極めて困難である。
【００６１】
従って、記録位置制御はシンクプリピットにより行なうのが好適である。
さらには、シンクプリピットに隣り合うシンクパルスはスペースであることがより望ましい。
【００６２】
本発明の実施形態の情報記録装置は、シンクプリピットに隣り合うシンクパルスがスペースになるように同期情報を生成し、これにより正確な記録位置制御を行なう。
【００６３】
次に、本発明の情報記録装置の一実施形態を示し、全体構成及び動作について図面に基づいて説明する。
図１は、本発明の情報記録装置の一実施形態の全体構成を示すブロック図である。
【００６４】
この情報記録装置は、ピックアップ（ＰＵ）１０と、再生信号処理部１６と、デコーダ１７と、エンコーダ１２と、レーザ駆動部１１と、サーボ部１５と、記録媒体１を回転させるスピンドルモータ１４と、回転制御部２０とを備えている。
【００６５】
また、外部のホストコンピュータ等のデータ処理装置（図示を省略する）とのインタフェース手段を含むコントローラ１３と、プリピット信号検出部１８と、プリピット信号デコーダ１９と、記録クロック信号生成部２２と、ウォブル信号検出部２１と、プリピット位置信号検出部２３と、記録位置制御信号生成部２４と、同期情報指示部２５も備えている。
【００６６】
ピックアップ１０は、光源であるレーザや受光手段等を含み、レーザから出射された光ビームを記録媒体１上に集光し、記録媒体１からの反射光を受光信号へ変換するものである。
【００６７】
レーザ駆動部１１は、レーザの光量を所望の値に制御・駆動するものであり、記録時には記録データ“Ｗｄａｔａ”に基づいてレーザを変調する。
この時、記録クロック信号“Ｓｗｃｋ”を基準信号として変調を行なう。
【００６８】
エンコーダ１２は、記録クロック信号“Ｓｗｃｋ”を基準信号とし、コントローラ１３から入力される記録すべきデータをＥＣＣ処理，８−１６変調処理，インタリーブ処理などを施し、記録データ“Ｗｄａｔａ”を生成する。
この際、記録位置制御信号に従って記録を開始、つまり記録データ“Ｗｄａｔａ”の出力を開始する。
【００６９】
再生信号処理部１６は、ピックアップ１０からの受光信号を処理するものであり、再生信号，サーボ信号，及びプッシュプル信号“Ｓｐｐ”を生成する。
ここで周知の通り、プッシュプル信号は記録媒体１からの反射光をトラック接線方向に平行に２分割された受光素子で受光し、これら２分割された受光素子出力の差分信号である。
【００７０】
図２は、上記プッシュプル信号“Ｓｐｐ”の一例を示す線図である。
図２に示すように、プッシュプル信号はウォブル信号とプリピット信号とが重畳された信号となる。
【００７１】
このプッシュプル信号のプリピット成分は、走査しているグルーブに隣接する内外周のランドに形成されたプリピットが上下に現れ、上側のプリピット４が当該グルーブに対応づけられたプリピットである（ウォブルが略最大となる時に現れる）。
【００７２】
このうち、先頭のプリピットはシンクプリピット４ｓであり、通常、２シンクフレーム毎に現れる。
但し、ＥＶＥＮ，ＯＤＤフレームシフトの切り換りでは、１または３シンクフレーム間隔になることもある。
【００７３】
一方、下側のプリピット５は別のグルーブに対応づけられたプリピットである。このように、ウォブルに対する位相は刻々変化する。
【００７４】
なお、プッシュプル信号“Ｓｐｐ”は、後段での信号処理がしやすいよう、２分割された受光素子出力の差分信号をゲイン調整（例えば、受光和信号により調整）などの処理を施してもよい。
【００７５】
さらには、プッシュプル信号“Ｓｐｐ”は、ＨＰＦ（Ｈｉｇｈ  Ｐａｓｓ  Ｆｉｌｔｅｒ）によってＤＣ成分を抑制した後の信号でもよい。
そうすれば、プッシュプル信号のオフセットを取り除ける。
【００７６】
デコーダ１７は、再生信号をデコードして復調信号を生成しコントローラに出力する。
サーボ部１５は、サーボ信号に基づきピックアップ１０からの光ビームを記録媒体1の任意の位置に照射するように制御する。
【００７７】
回転制御部２０は、ウォブル信号“Ｓｗｂｌ”が所定の周波数となるように記録媒体１の回転を制御するものであり、スピンドルモータ１４は、この制御信号に基づいて記録媒体１を回転させる。
ここでは、ウォブル信号を用いているが、プリピットも所定間隔で形成されたものであるので、これを利用してもよい。
【００７８】
プリピット信号検出部１８は、プッシュプル信号“Ｓｐｐ”からプリピット信号“Ｓｐｉｔ”を生成し、プッシュプル信号“Ｓｐｐ”と所定の閾値“Ｖｔｈｐｉｔ”（図２を参照）とを比較するコンパレータなどによって構成される。
【００７９】
プリピット信号デコーダ１９は、プリピット信号“Ｓｐｉｔ”をデコードすることにより、記録媒体１に予めプリフォーマットされているアドレス情報などを取得し、コントローラ１３に出力する。
【００８０】
ウォブル信号検出部２１は、プッシュプル信号“Ｓｐｐ”からＢＰＦ（Ｂａｎｄ  Ｐａｓｓ  Ｆｉｌｔｅｒ）などによってウォブル信号を抽出し、ウォブル信号“Ｓｗｂｌ”を検出するものである。
【００８１】
記録クロック信号生成部２２は、ウォブル信号“Ｓｗｂｌ”，プリピット信号“Ｓｐｉｔ”あるいはプリピット位置信号“Ｓｐｉｔ”、あるいはこれらを組み合わせた信号に基づいて記録クロック信号“Ｓｗｃｋ”を生成するものであり、通常、いわゆるＰＬＬ（Ｐｈａｓｅ  Ｌｏｃｋｅｄ  Ｌｏｏｐ）回路により構成される。そして、記録するデータはこの記録クロック信号“Ｓｗｃｋ”を基にして信号処理を行なう。
【００８２】
プリピット位置信号検出部２３は、プッシュプル信号“Ｓｐｐ”からプリピットの位置を高精度に検出したプリピット位置信号“Ｓｐｉｔ”を検出するものであり、プリピット信号検出部１８と同様にプッシュプル信号“Ｓｐｐ”と所定の閾値とを比較するコンパレータなどによって構成できる。
【００８３】
このように、プリピット位置信号検出部２３の一部もしくは全ては、プリピット信号検出部１８と共通化できるが、図１では本発明の要旨をより明確にするため別手段として示している。
【００８４】
この実施形態の情報再生装置によれば、たとえ簡便な一定スライスレベルによるコンパレータであっても、少なくともシンクプリピットの位置は高精度に検出することができる。
【００８５】
また、シンクプリピットのみ抽出し、プリピット位置信号を生成するものにしてもよい。さらに、より高精度に位置検出をできる構成にすれば、さらに好適になる。
【００８６】
記録位置制御信号生成部２４は、コントローラ１３からの記録開始指示あるいは記録開始アドレス指示などに従って、プリピット位置信号“Ｓｐｉｔ”に同期した記録位置制御信号を生成するものであり、エンコーダ１２に出力する。
【００８７】
ここで、ＰＬＬ回路などによってプリピット位置信号に位相同期したフレーム同期信号“Ｓｆｓ”を生成し、このフレーム同期信号“Ｓｆｓ”を基にして記録位置制御信号を生成すれば、たとえノイズなどによってプリピット位置信号を誤検出しても正確に記録位置を指示することができる。
【００８８】
同期情報指示部２５は、同期情報“ＳＹ”に含まれるシンクパルス（“１４Ｔ幅”のパルス）がスペースになるようにエンコーダ１２に指示する同期情報指示信号を生成する。
【００８９】
次に、エンコーダ１２の詳細な構成とその動作について説明する。
図５は、上記エンコーダ１２の内部構成と関連部とを示すブロック図である。
エンコーダ１２は、データ前処理部３０と、８／１６変調部３１と、同期情報発生部３２と、ＮＲＺＩ変換部３３とから構成されている。
【００９０】
前述の通り、このエンコーダ１２の処理は記録クロック信号“Ｓｗｃｋ”を基準とし、記録データ“Ｗｄａｔａ”の出力の開始は、記録位置制御信号によって制御する。
【００９１】
データ前処理部３０は、コントローラ１３から入力された記録情報のＥＣＣ処理やインタリーブ処理などを行なう。
８／１６変調部３１は、データ前処理を終えた記録情報を所定の変調規則に従って変調するものであり、また、同期情報発生部３２で生成した同期情報“ＳＹ”を１シンクフレーム毎に付加する。
この時、低周波成分が抑圧されるように変調を行なうようにするのは前述の通りである。
【００９２】
同期情報発生部３２は、同期情報“ＳＹ”を生成するものであり、前シンクフレームとの接続部分で変調規則を満足させるコードを選択し、かつ低周波成分を抑圧させるために、さらに複数個のコードから選択する。
【００９３】
この低周波成分抑圧条件によって何れかのコードから選択する際、シンクパルスが記録マークになるかスペースになるかが決定される。
ここで前述の如く、同期情報を強制的に選択しても、重大な問題になることはない。
【００９４】
この選択は、同期情報指示部２５の生成した同期情報指示信号によって行ない、同期情報指示信号が有効である時はシンクパルスがスペースになるコードを、無効である時は低周波成分を抑圧させるコードを選択する。
【００９５】
ＮＲＺＩ変換部３３は、８／１６変調部３１の出力した変調コードをＮＲＺＩ変換し、記録パルス列（記録データ“Ｗｄａｔａ”）に変換するものである。
すなわち、上記同期情報指示部２５と同期情報発生部３２によって上記同期情報生成手段の機能を果たす。
【００９６】
次に、同期情報指示信号の生成アルゴリズムについて説明する。
まず、第１のアルゴリズムは、常に同期情報指示信号を有効とする。
つまり、全てのシンクパルスがスペースとなるように同期情報“ＳＹ”の生成を指示するものであり、簡便な構成で全てのシンクプリピットにおいて高精度なプリピット位置信号“Ｓｐｉｔ”が得られることになり、高精度な記録位置制御が可能になる。
【００９７】
第２のアルゴリズムは、複数フレーム中の一部のフレームを有効にする。
ＤＶＤ−ＲのようにＥＶＥＮ，ＯＤＤの１ペアのフレーム中のどちらか一方にのみプリピットが存在する場合は、その１ペアのフレームを有効にすればよい。
【００９８】
例えば、４フレーム中、１ペアの（２つの）フレームを有効にすれば、４フレーム中の少なくとも１つのシンクプリピットはスペースシンクパルスと一致するので、これを基に記録位置制御を行なえばよい。
【００９９】
また、残りの同期情報指示信号を無効としている２フレームでは、同期情報は低周波成分抑圧条件に従って選択できるので、低周波成分抑圧効果減少の影響も少なくすることができる。
【０１００】
なお、シンクプリピットがマークのシンクパルスと一致する場合は、その時のプリピット位置信号を無視すれば、記録位置制御を高精度に行なえる。
すなわち、スペースシンクパルスと一致するシンクプリピットの位置信号で記録位置制御を行なう。
そして、以下のアルゴリズムに基づいた処理においても同様にすればよい。
【０１０１】
第３のアルゴリズムは、ＥＶＥＮあるいはＯＤＤフレームの何れか一方のフレームを有効とし、他方を無効とする。
図６は、上記アルゴリズムによって同期情報発生部３２を動作させた時の各信号を示す線図である。
【０１０２】
図６の（ａ）はプリピットを示す信号で、図中に黒丸を付して示したプリピットはスペースシンクパルスと一致するシンクプリピットを示している。
つまり、高精度に位置検出のできるプリピットを示している。
図６の（ｂ）は、プリピット位置信号に位相同期したフレーム同期信号“Ｓｆｓ”である。
【０１０３】
図６の（ｃ）は、シンクパルスがスペースの時のみハイになる仮想の信号であり、図中に「×」記号を付して示した同期情報コード選択により（低周波成分抑圧条件により）“ハイ”または“ロー”になる。
図６の（ｄ）は、正論理の同期情報指示信号であり、この信号がハイ（有効）の時、シンクパルスがスペースになるようなコードを強制的に選択する。
【０１０４】
通常は、ＥＶＥＮフレームで“ハイ”にし、プリピットがＯＤＤフレームにシフトした時、同期情報指示信号もＯＤＤフレームが“ハイ”になるようにする。
例えば、ＥＶＥＮフレーム中にプリピットが検出できなかった（または、所定回数検出できなかった）場合にシフトさせればよく、ＯＤＤからＥＶＥＮへの切り換えも同様にすればよい。
【０１０５】
プリピットのフレームシフトは頻繁に起こるものではないので、このようにすれば、切り換わり目以外のほとんどのシンクプリピットでスペースのシンクパルスと一致し、高精度なプリピット位置信号が得られ、またプリピットが存在しない（同期情報指示信号が無効である）フレームの同期情報は低周波成分抑圧条件に従って選択できるので、低周波成分抑圧効果減少の影響もさらに少なくすることができる。
【０１０６】
第４のアルゴリズムは、所定量のフレーム数の間、シンクプリピットとスペースシンクパルスが一致しなかった場合、同期情報指示信号を有効にする。
このとき、記録位置制御は所定量のフレームに一度プリピット位置信号が高精度に検出できればよい。
【０１０７】
図７は、上記アルゴリズムによって同期情報発生部３２を動作させた時の各信号を示す線図であり、図中の各信号は図６と同じである。
所定量：ｎのフレーム数の間、シンクプリピットとスペースシンクパルスが一致しなかった場合、同期情報指示信号が有効になり、次の（またはその次の）フレームのシンクパルスが強制的にスペースになるように選択する。
【０１０８】
もちろん、低周波成分抑圧条件に従って選択した同期情報がスペースシンクフレームでシンクプリピットと所定フレーム以内に一致（各々のシンクプリピットに対して略１／２の確率で一致）すれば、強制的に選択する必要はなくなる。
【０１０９】
このようにして、高精度な記録位置制御に十分な間隔でプリピット位置信号が得られ、かつ、他のほとんどのフレームの同期情報は低周波成分抑圧条件に従って選択できるので、低周波成分抑圧効果減少の影響はほとんど無視できる。
【０１１０】
さらに、上述の２〜４のアルゴリズムにおいて、低周波成分抑圧条件に従って同期情報を選択する際、選択対象である同期情報による各々の低周波成分抑圧効果、つまりＤＳＶの絶対値が同程度あるいは所定範囲以内の差であれば、シンクパルスがスペースになる方の同期情報を優先的に選択しても低周波成分抑圧効果はほとんど減少せず、その上、シンクプリピットとスペースシンクパルスの一致が増加するために高精度なプリピット位置信号が多く得られ、記録位置制御精度も向上する。
【０１１１】
なお、この実施形態において説明した記録媒体は、追記型の光ディスクであるＤＶＤ−Ｒであったが、相変化材料を記録層に用いた書換え可能型光ディスクなどにも同じように適用することができ、その他の記録層材料によるものでも適用できることは言うまでもない。
【０１１２】
さらには、プリフォーマットの形式においても、ウォブルしたトラック（グルーブもしくはランド）とそのトラックに隣接した一方もしくは双方のトラック（ランドもしくはグルーブ）にプリピットが形成された記録媒体に対しても、本発明に係わる効果は同様に得られる。
【０１１３】
また、（ウォブルなしで）プリピットのみによってプリフォーマットされたものであってもよい。
【０１１４】
この実施形態の情報再生装置は、記録位置制御の基となるプリピットに隣接して位置する同期パターンがスペースとなるように同期情報を生成しているので、プリピット位置信号は記録中あるいは既記録領域であっても高精度に検出でき、すなわち精度のよい記録位置制御が可能になる。
したがって、不要なデータを記録するリンキング領域をより少なく、あるいは不必要にし、記録領域を有効に使用することが可能になる。
【０１１５】
また、複数個の同期情報の一部を同期パターンがスペースになる同期情報を、残りを記録パルス列の低周波成分を抑圧する同期情報を生成しているので、複数個の情報単位中、少なくとも一部のプリピット位置信号は記録中あるいは既記録領域であっても高精度に検出できるため、上述の効果とともに低周波成分抑圧効果減少の影響も少なくすることができる。
【０１１６】
さらに、上記プリピットが上記情報単位の整数倍の間隔で形成されたものであって、上記プリピットに隣接して位置する場合は同期パターンがスペースになる同期情報を、それ以外は前記記録パルス列の低周波成分を抑圧する同期情報を生成しているので、ほとんどのプリピットにおいてプリピット位置信号は記録中あるいは既記録領域であっても高精度に検出することができ、より精度のよい記録位置制御が可能になり、かつ、低周波成分抑圧効果減少の影響も少なくすることができる。
【０１１７】
また、プリピットに隣接して位置する前記同期パターンが所定量連続してマークであった場合は上記同期パターンがスペースになる同期情報を、それ以外の場合は上記記録パルス列の低周波成分を抑圧する同期情報をそれぞれ生成しているので、高精度な記録位置制御に十分な間隔で高精度なプリピット位置信号が得られ、かつ、他のほとんどの同期情報は低周波成分抑圧条件に従って選択できるので、低周波成分抑圧効果減少の影響をほとんど無視することができる。
【０１１８】
さらに、上述の１〜４の何れか一つの同期情報生成工程に基づいて上記同期パターンがスペースになるように同期情報を選択するように指示する同期情報指示信号を生成する同期情報指示部と、上記同期情報指示信号に従って同期情報を生成する同期情報発生部と、上記プリピットの位置を検出するプリピット位置信号検出部と、上記プリピット位置信号に基づいて記録位置制御信号を生成する記録位置制御信号生成部と、上記同期情報を挿入しながら記録情報を所定の変調規則に従って変調した変調コードを記録パルス列に変換し、上記記録位置制御信号に従って上記記録パルス列の出力を開始するエンコーダを備えているので、簡便な構成で上述した各効果が得られる。
【０１１９】
また、上記プリピットが、上記所定情報単位に相当する間隔あるいはその整数倍の間隔で形成されたシンクプリピットと、アドレス情報などを示す情報プリピットとにより構成されたものであって、上記シンクプリピットに上記同期パターンが隣接して位置するよう記録を行なう際、上記記録位置制御信号生成部が、上記プリピット位置信号のうち、上記シンクプリピットに対応するものであるシンクプリピット位置信号でなおかつ隣接して位置した同期パターンがスペースであるものにのみに基づいて記録位置制御信号を生成するので、記録中あるいは既記録領域では精度的に不十分であるプリピットには依らないため、記録位置制御を高精度に行なえる。
【０１２０】
さらに、上記記録位置制御信号生成部が、上記プリピット位置信号あるいは上記シンクプリピット位置信号に位相同期し、上記所定情報単位毎の同期を示すフレーム信号を生成し、上記フレーム信号に基づいて上記記録位置制御信号を生成するので、たとえノイズなどによってプリピット位置信号を誤検出しても正確に記録位置制御ができる。
【０１２１】
また、上記同期情報指示部が、上記シンクプリピットに隣接して位置する上記同期パターンがスペースとなる同期情報が所定量：ｎの上記所定情報単位連続してなかった場合には上記同期パターンがスペースになる同期情報を、それ以外の場合には上記記録パルス列の低周波成分を抑圧する同期情報を選択するよう指示する同期情報をそれぞれ指示する指示信号を生成するので、上記所定量：ｎが上記フレーム信号を精度よく生成するのに十分なものであるので、高精度な記録位置制御に十分な間隔でプリピット位置信号が得られ、かつ、他のほとんどの同期情報は低周波成分抑圧条件に従って選択できるので、低周波成分抑圧効果減少の影響はほとんど無視できる。
【０１２２】
さらに、上述の同期情報生成工程が、上記記録パルス列の低周波成分を抑圧する同期情報を複数から選択して生成する際、上記複数個の同期情報による上記低周波成分抑圧量が同程度あるいは所定範囲内の差であるならば、上記同期パターンがスペースとなる方を優先して選択しているので、記録パルス列の低周波成分が同程度あるいは微増するだけでプリピットに隣接して位置する同期パターンがスペースになるものが増え、つまり高精度に位置検出のできるプリピットが増えるので、より高精度な記録位置制御が可能になる。
【０１２３】
【発明の効果】
以上説明してきたように、この発明の情報記録方法及び情報記録装置によれば、情報記録トラック間の領域に所定間隔でプリピットが形成された記録媒体に情報の記録を行なう際、このプリピットから検出したプリピット信号によって記録位置を制御するとき、既記録領域あるいは記録中であってもプリピット信号位置を精度よく検出し、情報記録媒体に対する精度のよい記録位置制御を可能にし、不要なデータを記録するリンキング領域をより少なくあるいは不必要にするので、情報記録媒体の記録領域を有効に使用することができる。
【図面の簡単な説明】
【図１】この発明の情報記録装置の一実施形態の全体構成を示すブロック図である。
【図２】図１に示した再生信号処理部１６によって生成されるプッシュプル信号の一礼を示す線図である。
【図３】この実施形態におけるＤＶＤ−Ｒのウォブルとプリピットの配置を模式的に示した図である。
【図４】この実施形態におけるプリピットに同期して情報を記録した記録媒体とプリピット信号との関係とそのプリピット信号と光源の記録パワーとの関係を示す模式図である。
【図５】図１に示したエンコーダ１２の内部構成と関連部とを示すブロック図である。
【図６】図５に示した同期情報発生部３２をこの発明に係わるアルゴリズムによって動作させた時の各信号を示す線図である。
【図７】図５に示した同期情報発生部３２をこの発明に係わる他のアルゴリズムによって動作させた時の各信号を示す線図である。
【符号の説明】
１：記録媒体        １０：ピックアップ（ＰＵ）
１１：レーザ駆動部  １２：エンコーダ
１３：コントローラ  １４：スピンドルモータ
１５：サーボ部      １６：再生信号処理部
１７：デコーダ      １８：プリピット信号検出部
１９：プリピット信号デコーダ
２０：回転制御部    ２１：ウォブル信号検出部
２２：記録クロック信号生成部
２３：プリピット位置信号検出部
２４：記録位置制御信号生成部
２５：同期情報指示部  ３０：データ前処理部
３１：８／１６変調部  ３２：同期情報発生部
３３：ＮＲＺＩ変換部
【図１】
0004086414.tif 000002
【図２】
0004086414.tif 000003
【図３】
0004086414.tif 000004
【図４】
0004086414.tif 000005
【図５】
0004086414.tif 000006
【図６】
0004086414.tif 000007
【図７】
0004086414.tif 000008